(57)【要約】【課題】高精度かつ低消費電力な積分器、並びに、この積分器を備えたＡＤ変換器及び放射線検出装置を提供する。【解決手段】一実施形態に係る積分器は、第１，第２ノードと、第１〜第５スイッチと、第１，第２主積分容量と、第１副積分容量と、を備える。第１スイッチは、一端が第１ノード、他端が第３ノードに接続される。第２スイッチは、一端が第３ノード、他端が第２ノードに接続される。第１主積分容量は、一端が第３ノード、他端が基準電圧線に接続される。第３スイッチは、一端が第１ノード、他端が第４ノードに接続される。第４スイッチは、一端が第４ノード、他端が第２ノードに接続される。第２主積分容量は、一端が第４ノード、他端が基準電圧線に接続される。第５スイッチは、一端が第１ノード、他端が第５ノードに接続される。第１副積分容量は、一端が第５ノード、他端が基準電圧線に接続される。【選択図】図４
2017017467.tif 000002
【特許請求の範囲】
【請求項１】
信号電流が入力される第１ノードと、
電圧が出力される第２ノードと、
一端が前記第１ノードに接続され、他端が第３ノードに接続された第１スイッチと、
一端が前記第３ノードに接続され、他端が前記第２ノードに接続された第２スイッチと、
一端が前記第３ノードに接続され、他端が基準電圧線に接続された第１主積分容量と、
一端が前記第１ノードに接続され、他端が第４ノードに接続された第３スイッチと、
一端が前記第４ノードに接続され、他端が前記第２ノードに接続された第４スイッチと、
一端が前記第４ノードに接続され、他端が前記基準電圧線に接続された第２主積分容量と、
一端が前記第１ノードに接続され、他端が第５ノードに接続された第５スイッチと、
一端が前記第５ノードに接続され、他端が前記基準電圧線に接続された第１副積分容量と、
を備える積分器。
【請求項２】
一端が前記第１ノードに接続され、他端が第６ノードに接続された第６スイッチと、
一端が前記第６ノードに接続され、他端が前記基準電圧線に接続された第２副積分容量と、
を備える請求項１に記載の積分器。
【請求項３】
一端が前記第２ノードに接続され、他端が第７ノードに接続された第７スイッチと、
一端が前記第７ノードに接続され、他端が前記基準電圧線に接続された第１平均化容量と、
を備える請求項１又は請求項２に記載の積分器。
【請求項４】
一端が前記第２ノードに接続され、他端が第８ノードに接続された第８スイッチと、
一端が前記第８ノードに接続され、他端が前記基準電圧線に接続された第２平均化容量と、
を備える請求項１乃至請求項３のいずれか１項に記載の積分器。
【請求項５】
一端が前記第３ノードに接続され、他端が前記基準電圧線に接続された第１リセットスイッチと、
一端が前記第４ノードに接続され、他端が前記基準電圧線に接続された第２リセットスイッチと、
一端が前記第５ノードに接続され、他端が前記基準電圧線に接続された第３リセットスイッチと、
を備えた請求項１に記載の積分器。
【請求項６】
一端が前記第６ノードに接続され、他端が前記基準電圧線に接続された第４リセットスイッチを備える
請求項２乃至請求項５のいずれか１項に記載の積分器。
【請求項７】
一端が前記第７ノードに接続され、他端が前記基準電圧線に接続された第５リセットスイッチを備える
請求項３乃至請求項６のいずれか１項に記載の積分器。
【請求項８】
一端が前記第８ノードに接続され、他端が前記基準電圧線に接続された第６リセットスイッチを備える
請求項４乃至請求項７のいずれか１項に記載の積分器。
【請求項９】
一端が前記第１ノードに接続され、他端が第９ノードに接続された第９スイッチと、
一端が前記第９ノードに接続され、他端が前記基準電圧線に接続された第３主積分容量と、
一端が前記第９ノードに接続され、他端が前記基準電圧線に接続された第７リセットスイッチと、
を備える請求項１乃至請求項８のいずれか１項に記載の積分器。
【請求項１０】
前記第１主積分容量の前記他端と、前記基準電圧線と、の間に接続された第１０スイッチと、
前記第２主積分容量の前記他端と、前記基準電圧線と、の間に接続された第１１スイッチと、
を備える請求項１乃至請求項９のいずれか１項に記載の積分器。
【請求項１１】
請求項１乃至請求項１０のいずれか１項に記載の積分器と、
前記積分器の前記第１ノードの電圧と、参照電圧と、を比較し、比較結果を出力する比較器と、
前記積分器の前記第２ノードの電圧に基づいて、残差信号を生成する残差生成回路と、
前記比較結果に基づいて、前記積分器及び前記残差生成回路を制御する制御回路と、
を備えるＡＤ変換器。
【請求項１２】
前記制御回路は、
前記第１ノードの電圧が１回目に前記参照電圧を超えるまで、前記第１主積分容量又は前記第２主積分容量により前記信号電流を積分させ、
前記第１ノードの電圧が１回目に前記参照電圧を超えると、前記第１主積分容量又は前記第２主積分容量と、前記第１副積分容量と、により前記信号電流を積分させる
請求項１１に記載のＡＤ変換器。
【請求項１３】
前記制御回路は、
奇数回目に入力された前記信号電流を、前記第１主積分容量により積分させ、
偶数回目に入力された前記信号電流を、前記第２主積分容量により積分させる
請求項１１又は請求項１２に記載のＡＤ変換器。
【請求項１４】
前記制御回路は、
奇数回目の前記信号電流が入力されると、前記残差生成回路に、前記第２主積分容量の電圧に基づいて前記残差信号を生成させ、
偶数回目の前記信号電流が入力されると、前記残差生成回路に、前記第１主積分容量の電圧に基づいて前記残差信号を生成させる
請求項１１乃至請求項１３のいずれか１項に記載のＡＤ変換器。
【請求項１５】
前記制御回路は、前記比較結果に基づいて、前記信号電流の積分値をＡＤ変換したＡＤ変換信号を出力する
請求項１１乃至請求項１４のいずれか１項に記載のＡＤ変換器。
【請求項１６】
前記信号電流を分流する分流回路と、
前記分流回路が分流した前記信号電流を折り返すカレントミラー回路と、
を備える差動構成された請求項１１乃至請求項１５のいずれか１項に記載のＡＤ変換器。
【請求項１７】
放射線を検出する放射線検出器と、
前記放射線検出器が出力したパルスを検出するパルス検出回路と、
前記放射線検出器が出力したパルスの積分値をＡＤ変換する請求項１１乃至請求項１６のいずれか１項に記載のＡＤ変換器と、
を備える放射線検出装置。
【発明の詳細な説明】
【技術分野】
【０００１】
本発明の実施形態は、積分器、ＡＤ変換器、及び放射線検出装置に関する。
【背景技術】
【０００２】
従来、積分器により電流を積分し、積分値をＡＤ変換する電荷積分型のＡＤ変換器が知られている。このＡＤ変換器は、信号が電流として出力される放射線検出器などに利用されている。
【０００３】
従来のＡＤ変換器として、積分器をオペアンプにより構成したものが提案されている。このＡＤ変換器では、オペアンプの仮想接地により、電流が積分容量に入力され、入力された電流に応じた電荷が積分容量に蓄積される。そして、積分容量の電圧が、積分値として出力される。
【０００４】
上記従来の積分器は、積分容量のリセット中の電流を積分できないため、積分の精度が低いという問題があった。また、この積分器は、オペアンプを備えるため、消費電力が大きいという問題もあった。
【先行技術文献】
【非特許文献】
【０００５】
【非特許文献１】IEEE 4th International Workshop on advances in Sensors and Interfaces, 2011.
【非特許文献２】IEEE Nuclear Science Symposium and Medical Imaging conference Record, 2012.
【発明の概要】
【発明が解決しようとする課題】
【０００６】
高精度かつ低消費電力な積分器、並びに、この積分器を備えたＡＤ変換器及び放射線検出装置を提供する。
【課題を解決するための手段】
【０００７】
一実施形態に係る積分器は、第１ノードと、第２ノードと、第１スイッチと、第２スイッチと、第１主積分容量と、第３スイッチと、第４スイッチと、第２主積分容量と、第５スイッチと、第１副積分容量と、を備える。第１ノードは、信号電流を入力される。第２ノードは、電圧を出力する。第１スイッチは、一端が第１ノードに接続され、他端が第３ノードに接続される。第２スイッチは、一端が第３ノードに接続され、他端が第２ノードに接続される。第１主積分容量は、一端が第３ノードに接続され、他端が基準電圧線に接続される。第３スイッチは、一端が第１ノードに接続され、他端が第４ノードに接続される。第４スイッチは、一端が第４ノードに接続され、他端が第２ノードに接続される。第２主積分容量は、一端が第４ノードに接続され、他端が基準電圧線に接続される。第５スイッチは、一端が第１ノードに接続され、他端が第５ノードに接続される。第１副積分容量は、一端が第５ノードに接続され、他端が基準電圧線に接続される。
【図面の簡単な説明】
【０００８】
【図１】従来のＡＤ変換器の一例を示す図。
【図２】図１のＡＤ変換器における積分器の出力電圧を示す図。
【図３】従来のＡＤ変換器の他の例を示す図。
【図４】第１実施形態に係るＡＤ変換器の一例を示す図。
【図５】信号電流の積分時の主積分容量の電圧と、入力総電荷量と、の関係を示すグラフ。
【図６】残差信号生成時の主積分容量の電圧と、入力総電荷量と、の関係を示すグラフ。
【図７】図４の積分器の動作を示すタイミングチャート。
【図８】図４の積分器の動作を示すタイミングチャート。
【図９】第２実施形態に係るＡＤ変換器の一例を示す図。
【図１０】図８の残差生成回路の動作を示すタイミングチャート。
【図１１】残差信号と、入力総電荷量と、の関係を示すグラフ。
【図１２】第３実施形態に係るＡＤ変換器の一例を示す図。
【図１３】図１２のＡＤ変換器の動作を示すタイミングチャート。
【図１４】第４実施形態に係るＡＤ変換器の一例を示す図。
【図１５】図１４のＡＤ変換器の動作を示すタイミングチャート。
【図１６】第５実施形態に係るＡＤ変換器の一例を示す図。
【図１７】第６実施形態に係る放射線検出装置の一例を示す図。
【発明を実施するための形態】
【０００９】
まず、従来の電荷積分型のＡＤ変換器について、図１〜図３を参照して説明する。図１は、従来のＡＤ変換器の一例を示す図である。図１に示すように、このＡＤ変換器は、オペアンプＯＰと、積分容量Ｃと、リセットスイッチＳＷＲと、比較器Ｃｏｍと、制御回路と、を備える。
【００１０】
オペアンプＯＰは、非反転入力端子を接地され、反転入力端子から信号電流を入力される。オペアンプＯＰは、積分容量Ｃとともに、積分器を構成する。
【００１１】
積分容量Ｃは、一端がオペアンプＯＰの反転入力端子に接続され、他端がオペアンプＯＰの出力端子に接続される。積分容量Ｃは、オペアンプＯＰの仮想接地により、信号電流を入力され、信号電流に応じた電荷を蓄積される。積分容量Ｃの他端の電圧は、積分器の出力電圧となる。
【００１２】
リセットスイッチＳＷＲは、一端がオペアンプＯＰの反転入力端子に接続され、他端がオペアンプＯＰの出力端子に接続される。リセットスイッチＳＷＲがオンになると、積分容量Ｃがリセットされる。リセットスイッチＳＷＲの開閉は、制御回路により制御される。
【００１３】
比較器Ｃｏｍは、積分器の出力電圧と参照電圧Ｖｒｅｆとを入力される。比較器Ｃｏｍは、入力された積分器の出力電圧と参照電圧Ｖｒｅｆとを比較し、比較結果を出力する。
【００１４】
制御回路は、比較器Ｃｏｍから比較結果を入力され、入力された比較結果に応じて、信号電流の積分値のＡＤ変換値を示すＡＤ変換信号を出力する。また、制御回路は、比較器Ｃｏｍから入力された比較結果に応じて、リセットスイッチＳＷＲを制御する制御信号を出力する。
【００１５】
図２は、図１のＡＤ変換器における、積分器の出力電圧（積分容量Ｃの他端の電圧）と、信号電流による積分容量Ｃへの入力総電荷と、の関係を示す図である。図２に示すように、積分容量Ｃは、電圧が参照電圧Ｖｒｅｆより大きくなるたびに、リセットされる。図２の例では、積分容量ＣにＱ／４の電荷が蓄積されると、積分容量Ｃはリセットされる。
【００１６】
図１のＡＤ変換器は、積分容量Ｃがリセットされた回数に応じたＡＤ変換信号を出力し、積分完了時における積分器の出力電圧を残差信号として出力する。例えば、信号電流による入力総電荷が０．６２５Ｑであった場合、積分容量Ｃは２回リセットされ、積分完了時に０．１２５Ｑの電荷を蓄積される。したがって、図１のＡＤ変換器は、２回に応じたＡＤ変換信号を出力し、０．５Ｖｒｅｆを残差信号として出力する。
【００１７】
このＡＤ変換器は、積分容量Ｃの電圧が参照電圧Ｖｒｅｆになった瞬間に積分容量Ｃがリセットされる場合、信号電流を正確に積分することができる。しかしながら、実際には、積分容量Ｃは、電圧が参照電圧Ｖｒｅｆになってから所定時間だけ経過した後にリセットされる。所定時間には、比較器Ｃｏｍの遅延時間や、制御回路が比較器Ｃｏｍから入力された比較結果に応じて制御信号を出力するまでの時間が含まれる。
【００１８】
このため、図１のＡＤ変換器では、上記の所定時間の間に入力された信号電流が積分値に反映されないまま、積分容量Ｃがリセットされてしまう。また、積分容量Ｃのリセット中に入力された信号電流は、積分容量Ｃに積分されず、上記と同様に積分値に反映されない。
【００１９】
このように、図１のＡＤ変換器は、信号電流の一部を積分することができないため、積分の精度が低い。このため、図１のＡＤ変換器には、信号電流を精度よく変換することができないという問題がある。
【００２０】
このような問題を抑制するＡＤ変換器として、図３に示すＡＤ変換器が提案されている。図３は、従来のＡＤ変換器の他の例を示す図である。図３に示すように、このＡＤ変換器は、図１のＡＤ変換器に、電荷減算回路を追加したものである。
【００２１】
電荷減算回路は、積分容量Ｃから所定の電荷を引き抜く回路であり、制御回路により制御される。図３のＡＤ変換器では、積分器の出力電圧が参照電圧Ｖｒｅｆより大きくなると、制御回路が制御信号を出力し、電荷減算回路が積分容量Ｃから所定の電荷を引き抜く。電荷減算回路が積分容量Ｃから１回あたりＱ／４の電荷を引き抜く場合、積分器の出力電圧は、図２と同様に変化する。
【００２２】
図３のＡＤ変換器では、積分容量Ｃは積分の完了後にリセットされるため、上記のような積分容量Ｃのリセットに起因する積分誤差が発生しない。このため、図３のＡＤ変換器は、信号電流を精度よく積分することができる。
【００２３】
しかしながら、このＡＤ変換器では、電荷減算回路が電荷を引き抜く際に、積分回路の出力電圧にリンギングが発生し、比較器Ｃｏｍが誤動作するおそれがあった。図３のＡＤ変換器では、比較器Ｃｏｍの誤動作を抑制するために、位相余裕のある高速なオペアンプＯＰが必要となる。このため、図３のＡＤ変換器は、消費電力が大きいという問題があった。
【００２４】
以下、本発明の実施形態について図面を参照して説明する。
【００２５】
（第１実施形態）
第１実施形態に係るＡＤ変換器について、図４〜図７を参照して説明する。図４は、本実施形態に係るＡＤ変換器の一例を示す図である。図４に示すように、このＡＤ変換器は、入力端子ＴＩＮと、出力端子ＴＯＵＴ１，ＴＯＵＴ２と、積分器１と、残差生成回路２と、比較器Ｃｏｍと、制御回路３と、を備える。
【００２６】
入力端子ＴＩＮは、ＡＤ変換器の入力端子である。ＡＤ変換器は、入力端子ＴＩＮから、ＡＤ変換の対象となる信号電流を入力される。
【００２７】
出力端子ＴＯＵＴ１は、ＡＤ変換器の一方の出力端子である。ＡＤ変換器は、出力端子ＴＯＵＴ１から、ＡＤ変換信号を出力する。ＡＤ変換信号とは、信号電流の積分値のＡＤ変換値を示すデジタル信号である。
【００２８】
出力端子ＴＯＵＴ２は、ＡＤ変換器の他方の出力端子である。ＡＤ変換器は、出力端子ＴＯＵＴ２から、残差信号を出力する。残差信号とは、信号電流の積分値をＡＤ変換後の残差（量子化誤差）を示すアナログ信号である。
【００２９】
積分器１は、入力端子ＴＩＮと、比較器Ｃｏｍと、残差生成回路２と、接続される。積分器１における、入力端子ＴＩＮと、比較器Ｃｏｍと、の接続点を、ノードＮ１という。ノードＮ１（第１ノード）は、積分器１の入力端子に相当する入力ノードである。積分器１は、ノードＮ１から信号電流を入力される。
【００３０】
また、積分器１における、残差生成回路２との接続点をノードＮ２という。ノードＮ２（第２ノード）は、積分器１の出力端子に相当する出力ノードである。ノードＮ２の電圧は、残差生成回路２に入力される。
【００３１】
図４に示すように、積分器１は、スイッチＳＷ１〜ＳＷ８と、容量Ｃ１〜Ｃ６と、リセットスイッチＳＷＲ１〜ＳＷＲ６と、を備える。スイッチＳＷ１〜ＳＷ８及びリセットスイッチＳＷＲ１〜ＳＷＲ６の開閉は、制御回路３により制御される。
【００３２】
スイッチＳＷ１（第１スイッチ）は、一端がノードＮ１に接続され、他端がノードＮ３に接続されている。本実施形態において、ノードＮ１は、スイッチＳＷ１，ＳＷ３，ＳＷ５，ＳＷ６の接続点である。また、ノードＮ３（第３ノード）は、スイッチＳＷ１，ＳＷ２と、容量Ｃ１と、リセットスイッチＳＷＲ１と、の接続点である。
【００３３】
スイッチＳＷ２（第２スイッチ）は、一端がノードＮ３に接続され、他端がノードＮ２に接続されている。本実施形態において、ノードＮ２は、スイッチＳＷ２，ＳＷ４の接続点である。
【００３４】
容量Ｃ１（第１主積分容量）は、一端がノードＮ３に接続され、他端が基準電圧線に接続されている。容量Ｃ１の容量値は、Ｃ１である。この容量Ｃ１は、積分器１に奇数回目に入力された信号電流を積分する主積分容量である。主積分容量は、信号電流の大きさによらず、信号電流の積分に使用される積分容量である。
【００３５】
積分器１に奇数回目の信号電流が入力されると、スイッチＳＷ１がオンになり、スイッチＳＷ２がオフになる。これにより、信号電流が容量Ｃ１に入力され、信号電流に応じた電荷が容量Ｃ１に蓄積され、容量Ｃ１の電圧（ノードＮ３の電圧）が信号電流に応じた電圧となる。積分中はスイッチＳＷ１がオンになっているため、容量Ｃ１の電圧がノードＮ１の電圧となり、比較器Ｃｏｍに入力される。
【００３６】
一方、積分器２に偶数回目の信号電流が入力されると、スイッチＳＷ１がオフになり、スイッチＳＷ２がオンになる。このため、容量Ｃ１の電圧が、ノード２の電圧となり、残差生成回路２に入力される。
【００３７】
なお、基準電圧線は、例えば、接地線であるが、これに限られない。基準電圧線は、正又は負の電源電圧線であってもよいし、定電圧源に接続された配線であってもよい。
【００３８】
リセットスイッチＳＷＲ１（第１リセットスイッチ）は、一端がノードＮ３に接続され、他端が基準電圧線に接続されている。リセットスイッチＳＷＲ１がオンになると、容量Ｃ１がリセットされる。
【００３９】
スイッチＳＷ３（第３スイッチ）は、一端がノードＮ１に接続され、他端がノードＮ４に接続されている。本実施形態において、ノードＮ４（第４ノード）は、スイッチＳＷ３，ＳＷ４と、容量Ｃ２と、リセットスイッチＳＷＲ２と、の接続点である。
【００４０】
スイッチＳＷ４（第４スイッチ）は、一端がノードＮ４に接続され、他端がノードＮ２に接続されている。
【００４１】
容量Ｃ２（第２主積分容量）は、一端がノードＮ４に接続され、他端が基準電圧線に接続されている。容量Ｃ２の容量値は、Ｃ２である。この容量Ｃ２は、積分器１に偶数回目に入力された信号電流を積分する主積分容量である。
【００４２】
積分器１に偶数回目の信号電流が入力されると、スイッチＳＷ３がオンになり、スイッチＳＷ４がオフになる。これにより、信号電流が容量Ｃ２に入力され、信号電流に応じた電荷が容量Ｃ２に蓄積され、容量Ｃ２の電圧（ノードＮ４の電圧）が信号電流に応じた電圧となる。積分中はスイッチＳＷ３がオンになっているため、容量Ｃ２の電圧がノードＮ１となり、比較器Ｃｏｍに入力される。
【００４３】
一方、積分器２に奇数回目の信号電流が入力されると、スイッチＳＷ３がオフになり、スイッチＳＷ４がオンになる。このため、容量Ｃ２の電圧が、ノードＮ２の電圧となり、残差生成回路２に入力される。
【００４４】
なお、上述の偶数回目及び奇数回目は、便宜的に定めたものである。本実施形態では、容量Ｃ１及び容量Ｃ２が信号電流の積分を交互に行なえばよいため、容量Ｃ１及び容量Ｃ２が積分する信号電流の入力回数の偶奇は逆であってもよい。
【００４５】
リセットスイッチＳＷＲ２（第２リセットスイッチ）は、一端がノードＮ４に接続され、他端が基準電圧線に接続されている。リセットスイッチＳＷＲ２がオンになると、容量Ｃ２がリセットされる。
【００４６】
スイッチＳＷ５（第５スイッチ）は、一端がノードＮ１に接続され、他端がノードＮ５に接続されている。本実施形態において、ノードＮ５（第５ノード）は、スイッチＳＷ５と、容量Ｃ３と、リセットスイッチＳＷＲ３と、の接続点である。
【００４７】
容量Ｃ３（第１副積分容量）は、一端がノードＮ５に接続され、他端が基準電圧線に接続されている。容量Ｃ３の容量値は、Ｃ３である。この容量Ｃ３は、ノードＮ１の電圧（主積分容量の電圧）が１回目に参照電圧を超えた場合に、主積分容量とともに信号電流を積分する第１の副積分容量である。
【００４８】
ノードＮ１の電圧が１回目に参照電圧を超えると、スイッチＳＷ５がオンになる。これにより、信号電流が容量Ｃ３に入力されるようになり、容量Ｃ３が積分器１の積分容量として追加される。信号電流は、その後、主積分容量及び容量Ｃ３により積分される。
【００４９】
リセットスイッチＳＷＲ３（第３リセットスイッチ）は、一端がノードＮ５に接続され、他端が基準電圧線に接続されている。リセットスイッチＳＷＲ３がオンになると、容量Ｃ３がリセットされる。
【００５０】
スイッチＳＷ６（第６スイッチ）は、一端がノードＮ１に接続され、他端がノードＮ６に接続されている。本実施形態において、ノードＮ６（第６ノード）は、スイッチＳＷ６と、容量Ｃ４と、リセットスイッチＳＷＲ４と、の接続点である。
【００５１】
容量Ｃ４（第２副積分容量）は、一端がノードＮ６に接続され、他端が基準電圧線に接続されている。容量Ｃ４の容量値は、Ｃ４である。この容量Ｃ４は、ノードＮ１の電圧（主積分容量の電圧）が２回目に参照電圧を超えた場合に、主積分容量とともに信号電流を積分する第２の副積分容量である。
【００５２】
ノードＮ１の電圧が２回目に参照電圧を超えると、スイッチＳＷ６がオンになる。これにより、信号電流が容量Ｃ４に入力されるようになり、容量Ｃ４が積分器１の積分容量として追加される。信号電流は、その後、主積分容量及び容量Ｃ３，Ｃ４により積分される。
【００５３】
リセットスイッチＳＷＲ４（第４リセットスイッチ）は、一端がノードＮ６に接続され、他端が基準電圧線に接続されている。リセットスイッチＳＷＲ４がオンになると、容量Ｃ４がリセットされる。
【００５４】
なお、図４の例では、積分器１は、副積分容量を２つ備えるが、副積分容量を１つ備えてもよいし、３つ以上備えてもよい。いずれの場合も、副積分容量は、ノードＮ１との間にスイッチを接続され、リセットスイッチを並列に接続される。
【００５５】
スイッチＳＷ７（第７スイッチ）は、一端がノードＮ２に接続され、他端がノードＮ７に接続されている。本実施形態において、ノードＮ７（第７ノード）は、スイッチＳＷ７と、容量Ｃ５と、リセットスイッチＳＷＲ５と、の接続点である。
【００５６】
リセットスイッチＳＷＲ５（第５リセットスイッチ）は、一端がノードＮ７に接続され、他端が基準電圧線に接続されている。リセットスイッチＳＷＲ５がオンになると、容量Ｃ５がリセットされる。
【００５７】
容量Ｃ５（第１平均化容量）は、一端がノードＮ７に接続され、他端が基準電圧線に接続されている。容量Ｃ５の容量値は、Ｃ５である。この容量Ｃ５は、ノードＮ２の電圧を平均化する平均化容量である。
【００５８】
上述の通り、ある信号電流が入力されている間、ノードＮ２の電圧は、１回前に入力された信号電流を積分した主積分容量の電圧となる。しかしながら、主積分容量の電圧は、信号電流の総積分値と比例しない。これは、積分器１が、積分容量として副積分容量を追加しながら信号電流を積分するためである。
【００５９】
上記のような主積分容量の電圧に基づいて、残差信号を生成するのは困難である。そこで、まず、主積分容量の電圧を、信号電流の総積分値と比例するように変化させる、すなわち、平均化する必要がある。平均化容量とは、主積分容量から所定の電荷を引き抜き、主積分容量の電圧を平均化するための容量のことである。
【００６０】
容量Ｃ５は、１回前に入力された信号電流を積分した際の主積分容量の電圧が、１回も参照電圧を超えなかった場合に、主積分容量の電圧の平均化に使用される。残差生成回路２は、平均化されたノードＮ２の電圧に基づいて、残差信号を生成する。
【００６１】
スイッチＳＷ８（第８スイッチ）は、一端がノードＮ２に接続され、他端がノードＮ８に接続されている。本実施形態において、ノードＮ８（第８ノード）は、スイッチＳＷ８と、容量Ｃ６と、リセットスイッチＳＷＲ６と、の接続点である。
【００６２】
リセットスイッチＳＷＲ６（第６リセットスイッチ）は、一端がノードＮ８に接続され、他端が基準電圧線に接続されている。リセットスイッチＳＷＲ８がオンになると、容量Ｃ６がリセットされる。
【００６３】
容量Ｃ６（第２平均化容量）は、一端がノードＮ８に接続され、他端が基準電圧線に接続されている。容量Ｃ６の容量値は、Ｃ６である。この容量Ｃ６は、ノードＮ２の電圧を平均化する平均化容量である。
【００６４】
容量Ｃ６は、１回前に入力された信号電流を積分した際の主積分容量の電圧が、参照電圧を超えた回数が１回以下の場合に、主積分容量の電圧の平均化に使用される。残差生成回路２は、平均化されたノードＮ２の電圧に基づいて、残差信号を生成する。
【００６５】
ここで、信号電流の積分時の主積分容量（容量Ｃ１又は容量Ｃ２）の電圧について、図５を参照して説明する。図５は、主積分容量の電圧と、入力総電荷量と、の関係を示すグラフである。入力総電荷量は、信号電流の総積分値に相当する。
【００６６】
図５において、０は基準電圧、Ｖｍａｘは最大電圧、Ｖｒｅｆ（＝Ｖｍａｘ×３／４）は参照電圧、Ｑは積分器１が積分可能な最大電荷量である。また、Ｃ１＝Ｃ２＝９Ｃ（Ｆ）、Ｃ３＝６Ｃ（Ｆ）、Ｃ４＝３Ｃ（Ｆ）である。Ｃ（Ｆ）は、任意の容量値である。図５では、１．５ビットのＡＤ変換器が想定されている。以下では、主積分容量が容量Ｃ１である場合を例に説明する。
【００６７】
奇数回目の信号電流が入力されると、容量Ｃ１の電圧がＶｒｅｆを超えるまで、信号電流は容量Ｃ１だけで積分される。このとき、積分器１の積分容量の総容量値は、９Ｃである。したがって、図５の例では、入力総電荷量が０以上３Ｑ／８以下の場合、容量Ｃ１の電圧は、０からＶｒｅｆまで単調増加する。
【００６８】
入力総電荷量が３／Ｑ８を超え、容量Ｃ１の電圧が１回目にＶｒｅｆを超えると、積分器１の積分容量として、容量Ｃ３が追加される。これにより、積分器１の積分容量の総容量値は、１５Ｃ（＝９Ｃ＋６Ｃ）となる。容量Ｃ３が追加されると、容量Ｃ１に蓄積された電荷３Ｑ／８が、瞬時に容量Ｃ１，Ｃ３に分配されるため、容量Ｃ１の電圧はＶｒｅｆ×３／５に低下する。
【００６９】
その後、信号電流は、容量Ｃ１，Ｃ３により積分される。したがって、入力総電荷量が３Ｑ／８より大きく５Ｑ／８以下の場合、容量Ｃ１の電圧は、Ｖｒｅｆ×３／５からＶｒｅｆまで単調増加する。
【００７０】
入力総電荷量が５／Ｑ８を超え、容量Ｃ１の電圧が２回目にＶｒｅｆを超えると、積分器１の積分容量として、容量Ｃ４が追加される。これにより、積分器１の積分容量の総容量値は、１８Ｃ（＝９Ｃ＋６Ｃ＋３Ｃ）となる。容量Ｃ４が追加されると、容量Ｃ１，Ｃ３に蓄積された電荷５Ｑ／８が、瞬時に容量Ｃ１，Ｃ３，Ｃ４に分配されるため、容量Ｃ１の電圧はＶｒｅｆ×５／６に低下する。
【００７１】
その後、信号電流は、容量Ｃ１，Ｃ３，Ｃ４により積分される。したがって、入力総電荷量が５Ｑ／８より大きくＱ以下の場合、容量Ｃ１の電圧は、Ｖｒｅｆ×５／６からＶｍａｘまで単調増加する。
【００７２】
図５からわかるように、信号電流の積分時の主積分容量の電圧は、信号電流の総積分値（入力総電荷量）に比例しない。このため、残差信号の生成時には、平均化容量により、主積分容量の電圧を平均化が行なわれる。
【００７３】
ここで、残差信号の生成時の主積分容量（容量Ｃ１又は容量Ｃ２）の電圧について、図６を参照して説明する。図６は、残差信号の生成時の主積分容量の電圧と、入力総電荷量と、の関係を示すグラフである。
【００７４】
図６において、破線は平均化前の主積分容量の電圧、実線は平均化後の主積分容量の電圧を示している。また、Ｃ１＝Ｃ２＝９Ｃ（Ｆ）、Ｃ５＝７．２Ｃ（Ｆ）、Ｃ６＝１．８Ｃ（Ｆ）である。他の値は図５と同様である。以下では、主積分容量が容量Ｃ１である場合を例に説明する。
【００７５】
奇数回目の信号電流を積分後、偶数回目の信号電流が入力されると、スイッチＳＷ１がオフになり、スイッチＳＷ２がオンになり、容量Ｃ１の電圧が、ノードＮ２の電圧となり、平均化される。
【００７６】
積分の際、容量Ｃ１の電圧が１回も参照電圧を超えていなかった場合、すなわち、入力総電荷量が３Ｑ／８以下であった場合、スイッチＳＷ７，ＳＷ８がオンになり、リセットスイッチＳＷＲ５，ＳＷＲ６がオフになる。これにより、容量Ｃ１に容量Ｃ５，Ｃ６が接続され、容量Ｃ１に蓄積された電荷が、瞬時に容量Ｃ１，Ｃ５，Ｃ６に分配される。容量Ｃ５，Ｃ６の接続により、容量値が９Ｃから１８Ｃ（＝９Ｃ＋７．２Ｃ＋１．８Ｃ）に変化するため、図６に示すように、平均化後の容量Ｃ１の電圧は、元の電圧の１／２（＝９／１８）になる。
【００７７】
積分の際、容量Ｃ１の電圧が１回だけ参照電圧を超えていた場合、すなわち、入力総電荷量が３Ｑ／８より大きく５Ｑ／８以下であった場合、スイッチＳＷ８及びリセットＳＷＲ５がオンになり、スイッチＳＷ７及びリセットスイッチＳＷＲ６がオフになる。これにより、容量Ｃ１に容量Ｃ６が接続され、容量Ｃ１に蓄積された電荷が、瞬時に容量Ｃ１，Ｃ６に分配される。容量Ｃ６の接続により、容量値が９Ｃから１０．８Ｃ（＝９Ｃ＋１．８Ｃ）に変化するため、図６に示すように、平均化後の容量Ｃ１の電圧は、元の電圧の５／６（＝９／１０．８）になる。
【００７８】
積分の際、容量Ｃ１の電圧が参照電圧を２回超えていた場合、すなわち、入力総電荷量が５Ｑ／８より大きかった場合、スイッチＳＷ７，ＳＷ８がオフになり、リセットスイッチＳＷＲ５，ＳＷＲ６がオンになる。すなわち、容量Ｃ１の電圧は、元の電圧のままである。
【００７９】
以上のように平均化することにより、図６に示すように、容量Ｃ１の電圧を、入力総電荷量に比例するように変化させることができる。なお、Ｃ５＝９Ｃ、Ｃ６＝１．８Ｃとし、容量Ｃ１の電圧が参照電圧を超えた回数が０回の場合、容量Ｃ５だけで平均化し、１回の場合、容量Ｃ６だけで平均化することも可能である。
【００８０】
残差生成回路２は、積分器１と、出力端子ＴＯＵＴ２と、接続される。ノードＮ２は、残差生成回路２の入力端子に相当する。また、出力端子ＴＯＵＴ２は、残差生成回路２の出力端子に相当する。残差生成回路２は、平均化後のノードＮ２の電圧に基づいて、残差信号を生成する。残差生成回路２は、生成した残差信号を出力端子ＴＯＵＴ２から出力する。残差生成回路２による残差信号の生成方法について、詳しくは後述する。
【００８１】
比較器Ｃｏｍは、一方の入力端子が積分器１のノードＮ１に接続され、他方の入力端子が参照電圧源（図示省略）に接続されている。比較器Ｃｏｍは、一方の入力端子からノードＮ１の電圧を入力され、他方の入力端子から参照電圧を入力される。比較器Ｃｏｍは、ノードＮ１の電圧と、参照電圧と、を比較し、比較結果を制御回路３に入力する。以下では、比較器Ｃｏｍは、ノードＮ１の電圧が参照電圧以下の場合にＬ（Ｌｏｗ）を出力し、ノードＮ１の電圧が参照電圧を超えている場合にＨ（Ｈｉｇｈ）を出力するものとする。なお、ＬとＨとは逆でもよい。
【００８２】
制御回路３は、比較器Ｃｏｍから比較結果を入力され、入力された比較結果に応じて、信号電流の積分値のＡＤ変換値を示すＡＤ変換信号を生成する。生成されたＡＤ変換信号は、出力端子ＴＯＵＴ１から出力される。制御回路３は、ノードＮ１の電圧が参照電圧を超えた回数に応じたＡＤ変換信号を出力する。
【００８３】
また、制御回路３は、比較器Ｃｏｍから入力された比較結果に応じて制御信号を出力し、積分器１及び残差生成回路２の動作を制御する。具体的には、制御回路３は、制御信号によりスイッチＳＷ１〜ＳＷ８及びリセットスイッチＳＷＲ１〜ＳＷ６の開閉を制御する。
【００８４】
さらに、図４に示すように、制御回路は、検知信号を入力される。検知信号は、信号電流の入力が検知されたことを知らせる信号である。検知信号は、例えば、このＡＤ変換器の外部に設けられた信号電流検知回路から入力される。制御回路３は、検知信号を入力されると、積分器１及び残差生成回路２の制御を開始する。
【００８５】
ここで、ＡＤ変換器の動作について、図７及び図８を参照して説明する。以下では、積分器１による積分動作と平均化動作とについてそれぞれ説明する。
【００８６】
まず、積分器１による積分動作について説明する。図７は、積分器１による積分動作を示すタイミングチャートである。図７において、１つ目の検知信号は奇数回目に入力された信号電流１に対応し、２つ目の検知信号は偶数回目に入力された信号電流２に対応するものとする。
【００８７】
また、１つ目の検知信号が入力されるまで、スイッチＳＷ２，ＳＷ３及びリセットスイッチＳＷＲ１はオンであり、スイッチＳＷ１，ＳＷ４及びリセットスイッチＳＷＲ２，ＳＷＲ３，ＳＷＲ４はオフであるものとする。スイッチＳＷ５，ＳＷ６は、オン及びオフのいずれでもよい。
【００８８】
ＡＤ変換器に信号電流１が入力されると、制御回路３に検知信号（図７の１つ目の検知信号）が入力され、制御回路３が積分器１に信号電流１の積分動作を開始させる。
【００８９】
具体的には、制御回路３は、スイッチＳＷ１をオンにし、スイッチＳＷ２及びリセットスイッチＳＷＲ１をオフにする。これにより、容量Ｃ１は、ノードＮ１に接続され、信号電流１の積分を開始する。容量Ｃ１の電圧は、比較器Ｃｏｍの一方の入力端子に入力される。積分開始時点では、容量Ｃ１の電圧は０であるため、比較器ＣｏｍはＬを出力する。
【００９０】
また、制御回路３は、スイッチＳＷ４をオンにし、スイッチＳＷ３をオフにする。このとき、リセットスイッチＳＷＲ２はオフのままである。これにより、容量Ｃ２は、ノードＮ２に接続される。容量Ｃ１が信号電流１を積分している間に、容量Ｃ２の電圧は平均化される。そして、残差生成回路２は、平均化された容量Ｃ２の電圧に基づいて、残差信号を生成する。平均化及び残差生成については後述する。
【００９１】
さらに、制御回路３は、リセットスイッチＳＷＲ３，ＳＷＲ４をオンにし、スイッチＳＷ５，ＳＷ６をオフにする。これにより、容量Ｃ３，Ｃ４がリセットされる。スイッチＳＷ５，ＳＷ６のオフは、リセットスイッチＳＷＲ３，ＳＷＲ４のオンより早いほうが好ましい。
【００９２】
その後、容量Ｃ１の電圧が上昇し、１回目に参照電圧を超えると、比較器ＣｏｍがＨを出力する。制御回路３は、比較器Ｃｏｍから１回目のＨを入力されると、入力された１回目のＨを記憶するとともに、スイッチＳＷ５をオンにし、リセットスイッチＳＷＲ３をオフにする。リセットスイッチＳＷＲ３のオフは、スイッチＳＷ５のオンより早いほうが好ましい。
【００９３】
スイッチＳＷ５がオンになると、容量Ｃ１に蓄積された電荷が、瞬時に容量Ｃ１，Ｃ３に分配され、容量Ｃ１の電圧が低下する。このため、比較器Ｃｏｍは再びＬを出力する。以降、信号電流１は、容量Ｃ１，Ｃ３により積分される。
【００９４】
その後、容量Ｃ１の電圧が再び上昇し、２回目に参照電圧を超えると、比較器Ｃｏｍが再びＨを出力する。制御回路３は、比較器Ｃｏｍから２回目のＨを入力されると、入力された２回目のＨを記憶するとともに、スイッチＳＷ６をオンにし、リセットスイッチＳＷＲ４をオフにする。リセットスイッチＳＷＲ４のオフは、スイッチＳＷ６のオンより早いほうが好ましい。
【００９５】
スイッチＳＷ６がオンになると、容量Ｃ１，Ｃ３に蓄積された電荷が、瞬時に容量Ｃ１，Ｃ３，Ｃ４に分配され、容量Ｃ１の電圧が再び低下する。このため、比較器Ｃｏｍは再びＬを出力する。以降、信号電流１は、容量Ｃ１，Ｃ３，Ｃ４により積分される。
【００９６】
図４の例では、積分器は、副積分容量を２つしか備えない。このため、容量Ｃ１の電圧が３回目に参照電圧を超えても、容量Ｃ１，Ｃ３，Ｃ４による積分が継続される。以降、積分器１は、次の信号電流２が入力されるまで、あるいは、信号電流１の積分が開始してから所定時間経過するまで、信号電流１の積分を継続する。
【００９７】
ＡＤ変換器に信号電流２が入力されると、制御回路３に検知信号（図７の２つ目の検知信号）が入力される。制御回路３は、信号電流１の積分中に比較器Ｃｏｍから入力されたＨの数に基づいて、ＡＤ変換信号を出力する。また、制御回路３は、積分器１に信号電流２の積分動作を開始させる。
【００９８】
具体的には、制御回路３は、スイッチＳＷ３をオンにし、スイッチＳＷ４及びリセットスイッチＳＷＲ２をオフにする。これにより、容量Ｃ２は、ノードＮ１に接続され、信号電流２の積分を開始する。容量Ｃ２の電圧は、比較器Ｃｏｍの一方の入力端子に入力される。積分開始時点では、容量Ｃ２の電圧は０であるため、比較器ＣｏｍはＬを出力する。
【００９９】
また、制御回路３は、スイッチＳＷ２をオンにし、スイッチＳＷ１をオフにする。このとき、リセットスイッチＳＷＲ１はオフのままである。これにより、容量Ｃ１は、ノードＮ２に接続される。容量Ｃ２が信号電流２を積分している間に、容量Ｃ１の電圧は平均化される。そして、残差生成回路２は、平均化された容量Ｃ１の電圧に基づいて、信号電流１の残差信号を生成する。平均化及び残差生成については後述する。
【０１００】
さらに、制御回路３は、リセットスイッチＳＷＲ３，ＳＷＲ４をオンにし、スイッチＳＷ５，ＳＷ６をオフにする。これにより、容量Ｃ３，Ｃ４がリセットされる。スイッチＳＷ５，ＳＷ６のオフは、リセットスイッチＳＷＲ３，ＳＷＲ４のオンより早いほうが好ましい。
【０１０１】
その後、容量Ｃ２の電圧が上昇し、１回目に参照電圧を超えると、比較器ＣｏｍがＨを出力する。制御回路３は、比較器Ｃｏｍから１回目のＨを入力されると、入力された１回目のＨを記憶するとともに、スイッチＳＷ５をオンにし、リセットスイッチＳＷＲ３をオフにする。リセットスイッチＳＷＲ３のオフは、スイッチＳＷ５のオンより早いほうが好ましい。
【０１０２】
スイッチＳＷ５がオンになると、容量Ｃ２に蓄積された電荷が、瞬時に容量Ｃ２，Ｃ３に分配され、容量Ｃ２の電圧が低下する。このため、比較器Ｃｏｍは再びＬを出力する。以降、信号電流２は、容量Ｃ２，Ｃ３により積分される。
【０１０３】
その後、容量Ｃ２の電圧が再び上昇し、２回目に参照電圧を超えると、比較器Ｃｏｍが再びＨを出力する。制御回路３は、比較器Ｃｏｍから２回目のＨを入力されると、入力された２回目のＨを記憶するとともに、スイッチＳＷ６をオンにし、リセットスイッチＳＷＲ４をオフにする。リセットスイッチＳＷＲ４のオフは、スイッチＳＷ６のオンより早いほうが好ましい。
【０１０４】
スイッチＳＷ６がオンになると、容量Ｃ２，Ｃ３に蓄積された電荷が、瞬時に容量Ｃ２，Ｃ３，Ｃ４に分配され、容量Ｃ２の電圧が再び低下する。このため、比較器Ｃｏｍは再びＬを出力する。以降、信号電流２は、容量Ｃ２，Ｃ３，Ｃ４により積分される。
【０１０５】
図４の例では、積分器は、副積分容量を２つしか備えない。このため、容量Ｃ２の電圧が３回目に参照電圧を超えても、容量Ｃ２，Ｃ３，Ｃ４による積分が継続される。以降、積分器２は、次の信号電流が入力されるまで、信号電流２の積分を継続する。
【０１０６】
次に、積分器１による平均化動作について説明する。図８は、積分器１による平均化動作を示すタイミングチャートである。
【０１０７】
ＡＤ変換器に信号電流１が入力されると、制御回路３に検知信号が入力され、制御回路３が積分器１に信号電流１の前に入力された信号電流０の平均化動作を開始させる。信号電流０は、容量Ｃ２により積分されている。
【０１０８】
信号電流０の積分時に、容量Ｃ２の電圧が１回も参照電圧を超えなかった場合、図８に示すように、制御回路３は、スイッチＳＷ７，ＳＷ８をオンにし、リセットスイッチＳＷＲ５，ＳＷＲ６をオフにする。これにより、容量Ｃ２に蓄積された電荷が容量Ｃ２，Ｃ５，Ｃ６に分配され、容量Ｃ２の電圧が平均化される。リセットスイッチＳＷＲ５，ＳＷＲ６は、スイッチＳＷ７，ＳＷ８のオンより早いほうが好ましい。
【０１０９】
信号電流０の積分時に、容量Ｃ２の電圧が１回だけ参照電圧を超えた場合、制御回路３は、スイッチＳＷ８をオンにし、リセットスイッチＳＷＲ６をオフにする。この際、スイッチＳＷ７はオフのまま、リセットスイッチＳＷＲ５はオンのままである。これにより、容量Ｃ２に蓄積された電荷が容量Ｃ２，Ｃ６に分配され、容量Ｃ２の電圧が平均化される。
【０１１０】
信号電流０の積分時に、容量Ｃ２の電圧が２回参照電圧を超えた場合、スイッチＳＷ７，ＳＷ８はオフのまま、リセットスイッチＳＷＲ５，ＳＷ６はオンのままである。すなわち、容量Ｃ２の電圧は、変化しない。
【０１１１】
平均化動作の開始後、所定時間が経過すると、制御回路３は、スイッチＳＷ７，ＳＷ８をオフにし、リセットスイッチＳＷＲ５，ＳＷＲ６をオンにする。これにより、容量Ｃ５，Ｃ６がリセットされる。
【０１１２】
その後、残差生成回路２は、平均化された容量Ｃ２の電圧に基づいて、信号電流０の残差信号を生成する。残差信号の生成について、詳しくは後述する。
【０１１３】
残差信号の生成開始から所定時間後、図７に示すように、制御回路３は、リセットスイッチＳＷＲ２をオンにする。これにより、容量Ｃ２がリセットされる。
【０１１４】
ＡＤ変換器に信号電流２が入力されると、制御回路３に検知信号が入力され、制御回路３が積分器１に信号電流１の平均化動作を開始させる。信号電流１は、容量Ｃ１により積分されている。
【０１１５】
信号電流１の積分時に、容量Ｃ１の電圧が１回も参照電圧を超えなかった場合、図８に示すように、制御回路３は、スイッチＳＷ７，ＳＷ８をオンにし、リセットスイッチＳＷＲ５，ＳＷＲ６をオフにする。これにより、容量Ｃ１に蓄積された電荷が容量Ｃ２，Ｃ５，Ｃ６に分配され、容量Ｃ２の電圧が平均化される。リセットスイッチＳＷＲ５，ＳＷＲ６は、スイッチＳＷ７，ＳＷ８のオンより早いほうが好ましい。
【０１１６】
信号電流１の積分時に、容量Ｃ１の電圧が１回だけ参照電圧を超えた場合、制御回路３は、スイッチＳＷ８をオンにし、リセットスイッチＳＷＲ６をオフにする。この際、スイッチＳＷ７はオフのまま、リセットスイッチＳＷＲ５はオンのままである。これにより、容量Ｃ１に蓄積された電荷が容量Ｃ１，Ｃ６に分配され、容量Ｃ１の電圧が平均化される。
【０１１７】
信号電流１の積分時に、容量Ｃ１の電圧が２回参照電圧を超えた場合、スイッチＳＷ７，ＳＷ８はオフのまま、リセットスイッチＳＷＲ５，ＳＷ６はオンのままである。すなわち、容量Ｃ１の電圧は、変化しない。
【０１１８】
平均化動作の開始後、所定時間が経過すると、制御回路３は、スイッチＳＷ７，ＳＷ８をオフにし、リセットスイッチＳＷＲ５，ＳＷＲ６をオンにする。これにより、容量Ｃ５，Ｃ６がリセットされる。
【０１１９】
その後、残差生成回路２は、平均化された容量Ｃ１の電圧に基づいて、信号電流１の残差信号を生成する。残差信号の生成について、詳しくは後述する。
【０１２０】
残差信号の生成開始から所定時間後、図７に示すように、制御回路３は、リセットスイッチＳＷＲ１をオンにする。これにより、容量Ｃ１がリセットされる。
【０１２１】
以上説明した通り、積分器１は、一方の主積分容量により信号電流を常時積分しつつ、この主積分容量の電圧が参照電圧を超える度に、副積分容量を追加する。制御回路３は、主積分容量の電圧が参照電圧を超えた回数に基づいて、ＡＤ変換信号を生成する。残差生成回路２は、他方の主積分容量の電圧に基づいて、１回前に入力された信号電流の残差信号を生成する。本実施形態に係るＡＤ変換器は、このような動作により、信号電流の積分値をＡＤ変換することができる。
【０１２２】
上記のように、積分器１の主積分容量は、信号電流の積分中、リセットされず、信号電流を常時積分する。このため、積分器１では、リセット中に入力された信号電流が積分できない、という問題が生じない。また、積分器１は、比較器Ｃｏｍや制御回路３の遅延により、副積分容量の追加が遅れた場合であっても、遅延時間の間に入力された信号電流を主積分容量により積分することができる。
【０１２３】
したがって、積分器１は、図１に示した従来の積分器に比べて、信号電流を精度よく積分することができる。結果として、本実施形態に係るＡＤ変換器は、信号電流の積分値を高精度にＡＤ変換することができる。
【０１２４】
また、積分器１は、オペアンプを備えないため、オペアンプに起因する消費電力の増大がない。したがって、積分器１は、図３の積分器に比べて、低消費電力に構成することができる。結果として、本実施形態に係るＡＤ変換器は、低消費電力に構成することができる。
【０１２５】
さらに、本実施形態に係るＡＤ変換器は、積分器１の一方の主積分容量により信号電流を積分しつつ、他方の主積分容量の電圧に基づいて、前に入力された信号電流の残差信号を生成することができる。すなわち、このＡＤ変換器は、信号電流の積分と、残差信号の生成とを、同時に行なうことができる。このため、本実施形態に係るＡＤ変換器は、スループットを向上させることができる。
【０１２６】
（第２実施形態）
第２実施形態に係るＡＤ変換器について、図９〜図１１を参照して説明する。本実施形態では、残差生成回路２について、具体的に説明する。図９は、本実施形態に係るＡＤ変換器の一例を示す図である。図９に示すように、残差生成回路２は、スイッチＳＷ２１〜ＳＷ２６と、容量Ｃ２１と、オペアンプＯＰと、を備える。スイッチＳＷ２１〜ＳＷ２６の開閉は、制御回路３により制御される。他の構成は第１実施形態と同様である。
【０１２７】
スイッチＳＷ２１は、一端が積分器１に接続され、他端がノードＮ２１に接続されている。すなわち、スイッチＳＷ２１の一端は、ノードＮ２に接続されている。ノードＮ２は、残差生成回路２の入力端子に相当する。残差生成回路２は、ノードＮ２から、積分器１の主積分容量の平均化後の電圧を入力される。本実施形態において、ノードＮ２１は、スイッチＳＷ２１〜ＳＷ２３，ＳＷ２５と、容量Ｃ２１と、オペアンプＯＰと、の接続点である。
【０１２８】
オペアンプＯＰは、反転入力端子がノードＮ２１に接続され、非反転入力端子が基準電圧線に接続され、出力端子がノードＮ２２に接続されている。本実施形態において、ノードＮ２２は、オペアンプＯＰと、スイッチＳＷ２２と、容量Ｃ２１と、出力端子ＴＯＵＴ２と、の接続点である。ノードＮ２２は、残差生成回路２の出力端子に相当する。ノードＮ２２の電圧が、残差信号として、出力端子ＴＯＵＴ２から出力される。
【０１２９】
スイッチＳＷ２２は、一端がノードＮ２１に接続され、他端がノードＮ２２に接続される。スイッチＳＷ２２がオンになると、容量Ｃ２１がリセットされる。
【０１３０】
容量Ｃ２１は、一端がノードＮ２１に接続され、他端がノードＮ２２に接続される。容量Ｃ２１の容量値は、Ｃ２１である。容量Ｃ２１は、オペアンプＯＰの反転入力端子と出力端子とを接続する負帰還回路を構成する。オペアンプＯＰの仮想接地により、積分器１の主積分容量の電荷を転送された容量Ｃ２１の電圧（ノードＮ２２の電圧）が残差信号となる。
【０１３１】
スイッチＳＷ２３は、一端が容量Ｃ２２の一端に接続され、他端がノードＮ２１又は基準電圧線に接続される。スイッチＳＷ２３は、容量Ｃ２２の一端の接続を、ノードＮ２１と基準電圧線との間で切替える。
【０１３２】
スイッチＳＷ２４は、一端が容量Ｃ２２の他端に接続され、他端が参照電圧源又は基準電圧線に接続される。スイッチＳＷ２４は、容量Ｃ２２の他端の接続を、参照電圧源と基準電圧線との間で切替える。
【０１３３】
容量Ｃ２２は、一端がスイッチＳＷ２３の一端に接続され、他端がスイッチＳＷ２４の一端に接続される。容量Ｃ２２の容量値は、Ｃ２２である。容量Ｃ２２は、平均化後の主積分容量から所定の電荷を引き抜くことにより、平均化後の主積分容量の電圧を、残差に応じた電圧に変化させるための減算容量である。
【０１３４】
スイッチＳＷ２３の他端が基準電圧線に接続され、スイッチＳＷ２４の他端が参照電圧源に接続されると、容量Ｃ２２は、参照電圧源と基準電圧線との間に接続される。したがって、容量Ｃ２２には、Ｃ２２×Ｖｒｅｆの電荷が充電される。
【０１３５】
スイッチＳＷ２３の他端がノードＮ２１に接続され、スイッチＳＷ２４の他端が基準電圧線に接続されると、容量Ｃ２２は、ノードＮ２１と基準電圧線との間に接続される。この際、スイッチＳＷ２２がオフであると、オペアンプＯＰの仮想接地により、容量Ｃ２２に充電された電荷が容量Ｃ２１に転送される。
【０１３６】
容量Ｃ２２を充電した際の極性は、容量Ｃ２２をノードＮ２１に接続した際の極性と逆である。したがって、容量Ｃ２２は、−Ｃ２２×Ｖｒｅｆの電荷を容量Ｃ２１に加算する。すなわち、容量Ｃ２２は、容量Ｃ２１からＣ２２×Ｖｒｅｆの電荷を減算する。
【０１３７】
スイッチＳＷ２５は、一端が容量Ｃ２３の一端に接続され、他端がノードＮ２１又は基準電圧線に接続される。スイッチＳＷ２５は、容量Ｃ２３の一端の接続を、ノードＮ２１と基準電圧線との間で切替える。
【０１３８】
スイッチＳＷ２６は、一端が容量Ｃ２３の他端に接続され、他端が参照電圧源又は基準電圧線に接続される。スイッチＳＷ２６は、容量Ｃ２３の他端の接続を、参照電圧源と基準電圧線との間で切替える。
【０１３９】
容量Ｃ２３は、一端がスイッチＳＷ２５の一端に接続され、他端がスイッチＳＷ２６の一端に接続される。容量Ｃ２３の容量値は、Ｃ２３である。容量Ｃ２３は、平均化後の主積分容量から所定の電荷を引き抜くことにより、平均化後の主積分容量の電圧を、残差に応じた電圧に変化させるための減算容量である。
【０１４０】
スイッチＳＷ２５の他端が基準電圧線に接続され、スイッチＳＷ２６の他端が参照電圧源に接続されると、容量Ｃ２３は、参照電圧源と基準電圧線との間に接続される。したがって、容量Ｃ２３には、Ｃ２３×Ｖｒｅｆの電荷が充電される。
【０１４１】
スイッチＳＷ２５の他端がノードＮ２１に接続され、スイッチＳＷ２６の他端が基準電圧線に接続されると、容量Ｃ２３は、ノードＮ２１と基準電圧線との間に接続される。この際、スイッチＳＷ２２がオフであると、オペアンプＯＰの仮想接地により、容量Ｃ２３に充電された電荷が容量Ｃ２１に転送される。
【０１４２】
容量Ｃ２３を充電した際の極性は、容量Ｃ２３をノードＮ２１に接続した際の極性と逆である。したがって、容量Ｃ２３は、−Ｃ２３×Ｖｒｅｆの電荷を容量Ｃ２１に加算する。すなわち、容量Ｃ２３は、容量Ｃ２１からＣ２３×Ｖｒｅｆの電荷を減算する。
【０１４３】
次に、本実施形態に係る残差生成回路２の動作について説明する。図１０は、残差生成回路２の動作を示すタイミングチャートである。
【０１４４】
図１０に示すように、ＡＤ変換器に信号電流１が入力されると、容量Ｃ１が信号電流１を積分する。これと並行して、容量Ｃ２の電圧が平均化される。容量Ｃ２の電圧の平均化後、制御回路３は、残差生成回路２に、残差信号の生成を開始させる。
【０１４５】
具体的には、制御回路３は、スイッチＳＷ２１をオンにする。これにより、平均化された容量Ｃ２の電圧が、残差生成回路２に入力される。また、制御回路３は、スイッチＳＷ２２をオフにする。これにより、平均化後の容量Ｃ２の電荷が、容量Ｃ２１に転送される。
【０１４６】
さらに、制御回路３は、スイッチＳＷ２３〜ＳＷ２６を切替えて、減算容量をノードＮ２１と基準電圧線との間に接続する。これにより、容量Ｃ２１から所定の電荷が引き抜かれる。容量Ｃ２１から減算する電荷量は、容量Ｃ２の電圧が参照電圧を超えた回数に応じて決まる。
【０１４７】
制御回路３は、容量Ｃ２の電圧が１回も参照電圧を超えていなかった場合、減算を行なわない。すなわち、減算容量（容量Ｃ２２，Ｃ２３）をノードＮ２１に接続しない。
【０１４８】
制御回路３は、容量Ｃ２の電圧が１回だけ参照電圧を超えた場合、容量Ｃ２２をノードＮ２１に接続する。これにより、容量Ｃ２１からＣ２２×Ｖｒｅｆの電荷が引き抜かれる。
【０１４９】
制御回路３は、容量Ｃ２の電圧が２回参照電圧を超えた場合、容量Ｃ２２，Ｃ２３をノードＮ２１に接続する。これにより、容量Ｃ２１から（Ｃ２２＋Ｃ２３）×Ｖｒｅｆの電荷が引き抜かれる。
【０１５０】
このように、容量Ｃ２１は、容量Ｃ２の電荷を転送されると同時に、減算容量により所定の電荷を引き抜かれる。そして、転送及び減算の終了後の容量Ｃ２１の電圧が、残差信号として、出力端子ＴＯＵＴ２から出力される。
【０１５１】
残差信号の生成が開始されてから所定時間後、制御回路３は、スイッチＳＷ２１をオフにし、スイッチＳＷ２２をオンにする。これにより、容量Ｃ２１がリセットされる。また、制御回路３は、スイッチＳＷ２３〜ＳＷ２６を切替えて、減算容量を参照電圧源と基準電圧線との間に接続する。これにより、減算容量が充電される。
【０１５２】
ＡＤ変換器に信号電流２が入力されると、容量Ｃ２が信号電流２を積分する。これと並行して、容量Ｃ１の電圧が平均化される。容量Ｃ１の電圧の平均化後、制御回路３は、残差生成回路２に、残差信号の生成を開始させる。
【０１５３】
具体的には、制御回路３は、スイッチＳＷ２１をオンにする。これにより、平均化された容量Ｃ１の電圧が、残差生成回路２に入力される。また、制御回路３は、スイッチＳＷ２２をオフにする。これにより、平均化後の容量Ｃ１の電荷が、容量Ｃ２１に転送される。
【０１５４】
さらに、制御回路３は、スイッチＳＷ２３〜ＳＷ２６を切替えて、減算容量をノードＮ２１と基準電圧線との間に接続する。これにより、容量Ｃ２１から所定の電荷が引き抜かれる。容量Ｃ２１から減算する電荷量は、容量Ｃ１の電圧が参照電圧を超えた回数に応じて決まる。
【０１５５】
制御回路３は、容量Ｃ１の電圧が１回も参照電圧を超えていなかった場合、減算を行なわない。すなわち、減算容量（容量Ｃ２２，Ｃ２３）をノードＮ２１に接続しない。
【０１５６】
制御回路３は、容量Ｃ１の電圧が１回だけ参照電圧を超えた場合、容量Ｃ２２をノードＮ２１に接続する。これにより、容量Ｃ２１からＣ２２×Ｖｒｅｆの電荷が引き抜かれる。
【０１５７】
制御回路３は、容量Ｃ１の電圧が２回参照電圧を超えた場合、容量Ｃ２２，Ｃ２３をノードＮ２１に接続する。これにより、容量Ｃ２１から（Ｃ２２＋Ｃ２３）×Ｖｒｅｆの電荷が引き抜かれる。
【０１５８】
このように、容量Ｃ２１は、容量Ｃ１の電荷を転送されると同時に、減算容量により所定の電荷を引き抜かれる。そして、転送及び減算の終了後の容量Ｃ２１の電圧が、信号電流１の残差信号として、出力端子ＴＯＵＴ２から出力される。
【０１５９】
残差信号の生成が開始されてから所定時間後、制御回路３は、スイッチＳＷ２１をオフにし、スイッチＳＷ２２をオンにする。これにより、容量Ｃ２１がリセットされる。また、制御回路３は、スイッチＳＷ２３〜ＳＷ２６を切替えて、減算容量を参照電圧源と基準電圧線との間に接続する。これにより、減算容量が充電される。
【０１６０】
ここで、残差信号（容量Ｃ２１の電圧）と入力総電荷量との関係について説明する。図１１は、残差信号（容量Ｃ２１の電圧）と、入力総電荷量と、の関係を示すグラフである。
【０１６１】
図１１において、点線は平均化後の主積分容量の電圧、破線は電荷の引き抜かれた主積分容量の電圧、実線は主積分容量の電荷を転送後の容量Ｃ２１の電圧（残差信号）を示している。図１１において、Ｃ２１＝４．５Ｃ（Ｆ）である。他の値は図５と同様である。以下では、主積分容量が容量Ｃ１である場合を例に説明する。
【０１６２】
なお、図１１において破線で示した電圧（減算後の容量Ｃ１の電圧）は、容量Ｃ２１から引き抜く電荷量を説明するための便宜的なものである。実際には、容量Ｃ１の電荷は、容量Ｃ２１に転送されるため、破線のような電圧は現れない。
【０１６３】
容量Ｃ１の電圧は、平均化後、残差生成回路２に入力される。このとき、容量Ｃ１の電圧は、図１１に示すように、入力総電荷量と比例している。
【０１６４】
また、容量Ｃ１に蓄積された電荷は、オペアンプＯＰの仮想接地により、容量Ｃ２１に転送される。この際、残差生成回路２は、容量Ｃ２１から減算容量によって所定の電荷を引き抜く。引き抜く電荷量は、容量Ｃ１の電圧が参照電圧を超えた回数に応じて決まる。
【０１６５】
具体的には、容量Ｃ１の電圧が参照電圧を１回も超えない（入力総電荷量が３Ｑ／８以下である）場合、引き抜く電荷量は０である。容量Ｃ１の電圧が参照電圧を１回だけ超えた（入力総電荷量が３Ｑ／８より大きく５Ｑ／８以下である）場合、引き抜く電荷量はＱ／８である。容量Ｃ１の電圧が参照電圧を２回超えた（入力総電荷量が５Ｑ／８より大きい）場合、引き抜く電荷量はＱ／４である。
【０１６６】
このように電荷を引き抜くことにより、図１１に示すように、残差に比例した残差信号を生成することができる。図１１からもわかるように、Ｃ１×２＝Ｃ２１であるから、残差信号は、減算後の容量Ｃ１の電圧の２倍の電圧となっている。
【０１６７】
本実施形態において、Ｃ２２，Ｃ２３は、上記のような減算が可能なように設定される。図１１の例では、Ｃ２２＝Ｃ２３＝３Ｃとすればよい。これにより、容量Ｃ２２，Ｃ２３によりそれぞれ減算される電荷量は、３Ｃ×Ｖｒｅｆ＝Ｑ／８となり、上記の減算が実現できる。
【０１６８】
以上説明した通り、残差生成回路２は、平均化後の主積分容量に蓄積された電荷を容量Ｃ２１に転送し、容量Ｃ２１から所定の電荷を引き抜くことにより、残差信号を生成することができる。
【０１６９】
本実施形態では、主積分容量に蓄積された電荷量から所定の電荷量を減算すればよいため、入力総電荷量から所定の電荷量を減算する場合に比べて、減算する電荷量を少なくすることができる。したがって、減算容量の容量値を小さくし、残差生成回路２の回路面積を小さくすることができる。
【０１７０】
（第３実施形態）
第３実施形態に係るＡＤ変換器について、図１２及び図１３を参照して説明する。図１２は、本実施形態に係るＡＤ変換器の一例を示す図である。図１２に示すように、本実施形態において、積分器１は、スイッチＳＷ９と、リセットスイッチＳＷＲ７と、容量Ｃ７と、を備える。他の構成は第１実施形態と同様である。
【０１７１】
スイッチＳＷ９（第９スイッチ）は、一端がノードＮ１に接続され、他端がノードＮ９に接続されている。本実施形態において、ノードＮ９は、スイッチＳＷ９と、容量Ｃ７と、リセットスイッチＳＷＲ７と、の接続点である。
【０１７２】
容量Ｃ７（第３主積分容量）は、一端がノードＮ９に接続され、他端が基準電圧線に接続されている。容量Ｃ７の容量値は、Ｃ７である。この容量Ｃ７は、奇数回目及び偶数回目に積分器１に入力された信号電流を積分する主積分容量である。容量Ｃ７は、奇数回目に入力された信号電流を容量Ｃ１とともに積分し、偶数回目に入力された信号電流を容量Ｃ２とともに積分する。
【０１７３】
ただし、容量Ｃ７は、容量Ｃ１，Ｃ２より所定時間遅れて信号電流の積分を開始する。これは、容量Ｃ７は、新たな信号電流が入力される毎にリセットする必要があるためである。容量Ｃ７が遅延する所定時間は、容量Ｃ７のリセット期間に相当する。
【０１７４】
リセットスイッチＳＷＲ７（第７リセットスイッチ）は、一端がノードＮ９に接続され、他端が基準電圧線に接続されている。リセットスイッチＳＷＲ７がオンになると、容量Ｃ７がリセットされる。
【０１７５】
次に、本実施形態に係るＡＤ変換器の動作について、図１３を参照して説明する。図１３は、積分器１の積分動作を示すタイミングチャートである。なお、図１３において、副積分容量の動作は省略されている。
【０１７６】
本実施形態では、ＡＤ変換器に信号電流１が入力され、容量Ｃ１が信号電流１の積分を開始すると、制御回路３は、スイッチＳＷ９をオフにし、リセットスイッチＳＷＲ７をオンにする。これにより、容量Ｃ９がリセットされる。この際、スイッチＳＷ９のオフは、リセットスイッチＳＷ７のオンより早いのが好ましい。
【０１７７】
信号電流１の積分の開始から所定時間経過後、制御回路３は、スイッチＳＷ９をオンにし、リセットスイッチＳＷＲ７をオフにする。この際、リセットスイッチＳＷ７のオフは、スイッチＳＷ９のオンより早いのが好ましい。
【０１７８】
スイッチＳＷ９がオンになると、容量Ｃ１に蓄積された電荷が容量Ｃ１，Ｃ７に分配され、積分器１の積分容量の総容量値はＣ１＋Ｃ７となる。その後、信号電流１は、容量Ｃ１の電圧が参照電圧を超えるまで、容量Ｃ１，Ｃ７により積分される。
【０１７９】
以降の積分動作は第１実施形態と同様であり、積分器１は、容量Ｃ１の電圧が参照電圧を超える度に、副積分容量を追加しながら信号電流１を積分する。
【０１８０】
その後、ＡＤ変換器に信号電流２が入力され、容量Ｃ２が信号電流２の積分を開始すると、制御回路３は、スイッチＳＷ９をオフにし、リセットスイッチＳＷＲ７をオンにする。これにより、容量Ｃ９がリセットされる。この際、スイッチＳＷ９のオフは、リセットスイッチＳＷ７のオンより早いのが好ましい。
【０１８１】
信号電流２の積分の開始から所定時間経過後、制御回路３は、スイッチＳＷ９をオンにし、リセットスイッチＳＷＲ７をオフにする。この際、リセットスイッチＳＷ７のオフは、スイッチＳＷ９のオンより早いのが好ましい。
【０１８２】
スイッチＳＷ９がオンになると、容量Ｃ２に蓄積された電荷が容量Ｃ２，Ｃ７に分配され、積分器１の積分容量の総容量値はＣ２＋Ｃ７となる。その後、信号電流２は、容量Ｃ２の電圧が参照電圧を超えるまで、容量Ｃ２，Ｃ７により積分される。
【０１８３】
以降の積分動作は第１実施形態と同様であり、積分器１は、容量Ｃ２の電圧が参照電圧を超える度に、副積分容量を追加しながら信号電流２を積分する。
【０１８４】
以上説明した通り、本実施形態では、主積分容量の電圧が１回目に参照電圧を超えるまで、信号電流は容量Ｃ１又は容量Ｃ２と、容量Ｃ７と、により積分される。このとき、積分器１の積分容量の総容量値は、Ｃ１＋Ｃ７又はＣ２＋Ｃ７となる。この総容量値は、第１実施形態におけるＣ１又はＣ２に相当する。
【０１８５】
これは、第１実施形態における容量Ｃ１，Ｃ２を、容量Ｃ１，Ｃ２及び容量Ｃ７により構成したことに相当する。このような構成により、第１実施形態に比べて、容量Ｃ１，Ｃ２の容量値を小さくすることができる。また、容量Ｃ１，Ｃ２の容量値が小さくなると、平均化容量の容量値も小さくすることができる。したがって、積分器１の回路面積を小さくすることができる。
【０１８６】
例えば、本実施形態では、Ｃ７＝６Ｃ、Ｃ１＝Ｃ２＝３Ｃとした場合、Ｃ５＝２．４Ｃ、Ｃ６＝０．６Ｃとすればよい。このとき、Ｃ１＋Ｃ２＋Ｃ５＋Ｃ６＋Ｃ７＝１８Ｃとなる。これ対して、第１実施形態では、Ｃ１＋Ｃ２＋Ｃ５＋Ｃ６＝２７Ｃであるから、容量値が２／３に減少することがわかる。
【０１８７】
また、容量Ｃ１，Ｃ２の容量値が小さくなると、残差生成回路２の減算容量により、容量Ｃ１，Ｃ２から引き抜く電荷量を減らすことができる。したがって、残差生成回路２の減算容量の容量値を小さくし、残差生成回路２の回路面積を小さくすることができる。
【０１８８】
例えば、上記と同様に、Ｃ７＝６Ｃ、Ｃ１＝Ｃ２＝３Ｃとした場合、減算容量で減算する電荷量は−Ｑ／２４とすればよいため、減算容量の容量値はＣとなる。これに対して、第２実施形態では、３Ｃであるから、容量値が１／３に減少することがわかる。
【０１８９】
（第４実施形態）
第４実施形態に係るＡＤ変換器について、図１４及び図１５を参照して説明する。図１４は、本実施形態に係るＡＤ変換器の一例を示す図である。図１４に示すように、本実施形態において、積分器１は、スイッチＳＷ１０，ＳＷ１１を備える。スイッチＳＷ１０，ＳＷ１１の開閉は、制御回路３により制御される。他の構成は第１実施形態と同様である。
【０１９０】
スイッチＳＷ１０（第１０スイッチ）は、一端が容量Ｃ１の他端に接続され、他端が基準電圧線に接続されている。すなわち、スイッチＳＷ１０は、容量Ｃ１と基準電圧線との間に接続されている。
【０１９１】
スイッチＳＷ１１（第１１スイッチ）は、一端が容量Ｃ２の他端に接続され、他端が基準電圧線に接続されている。すなわち、スイッチＳＷ１１は、容量Ｃ２と基準電圧線との間に接続されている。
【０１９２】
ここで、図１５は、積分器１の動作を示すタイミングチャートである。
【０１９３】
図１５に示すように、スイッチＳＷ１０は、容量Ｃ１の電圧の平均化の開始及び終了のタイミングにオフになる。具体的には、スイッチＳＷ１０は、スイッチＳＷ１がオフになる直前にオフになり、スイッチＳＷ１がオフになった直後にオンになる。また、スイッチＳＷ１０は、スイッチＳＷ１がオフの期間において、スイッチＳＷ７，ＳＷ８がオフになる直前にオフになり、スイッチＳＷ７，ＳＷ８がオフになった直後にオンになる。
【０１９４】
これに対して、スイッチＳＷ１１は、容量Ｃ２の電圧の平均化の開始及び終了のタイミングにオフになる。具体的には、スイッチＳＷ１１は、スイッチＳＷ２がオフになる直前にオフになり、スイッチＳＷ２がオフになった直後にオンになる。また、スイッチＳＷ１１は、スイッチＳＷ２がオフの期間において、スイッチＳＷ７，ＳＷ８がオフになる直前にオフになり、スイッチＳＷ７，ＳＷ８がオフになった直後にオンになる。
【０１９５】
積分器１を構成するスイッチがＭＯＳトランジスタにより構成された場合、スイッチをオフにする際にチャージインジェクションが発生し、スイッチの両端から電荷が流出する。主積分容量の電圧に基づいて残差信号を生成する際に、チャージインジェクションによる電荷が主積分容量に流入すると、残差信号に誤差が生じてしまう。
【０１９６】
本実施形態では、上記のようにスイッチＳＷ１０をオフにすることにより、スイッチＳＷ１，ＳＷ７，ＳＷ８から容量Ｃ１への電荷の流入を抑制することができる。また、上記のようにスイッチＳＷ１１をオフにすることにより、スイッチＳＷ２，ＳＷ７，ＳＷ８から容量Ｃ２への電荷の流入を抑制することができる。
【０１９７】
このため、本実施形態によれば、残差信号の誤差を抑制し、信号電流の積分値のＡＤ変換精度を向上させることができる。
【０１９８】
（第５実施形態）
第５実施形態に係るＡＤ変換器について、図１６を参照して説明する。本実施形態に係るＡＤ変換器は、上述のいずれかの実施形態に係るＡＤ変換器を差動構成としたものである。図１６は、本実施形態に係るＡＤ変換器を示す図である。図１６に示すように、本実施形態に係るＡＤ変換器は、積分器１１，１２と、比較器Ｃｏｍと、残差生成回路２と、制御回路３と、分流回路４と、カレントミラー回路５と、を備える。
【０１９９】
積分器１１，１２と、比較器Ｃｏｍと、残差生成回路２と、制御回路３と、の構成は、上述のいずれかの実施形態における積分器１と、比較器Ｃｏｍと、残差生成回路２と、制御回路３と、それぞれ同様である。ただし、本実施形態では、積分器１１，１２の基準電圧は、接地電圧ではなく、例えば、Ｖｍａｘ／２であるのが好ましい。
【０２００】
分流回路４は、入力端子ＴＩＮに接続され、信号電流を入力される。分流回路４は、入力された信号電流を分流し、一方を積分器１１に入力し、他方をカレントミラー回路５に入力する。
【０２０１】
カレントミラー回路５は、分流回路４により分流された信号電流を入力され、入力された信号電流を折り返し、積分器１２に入力する。これにより、積分器１２には、分流回路４により分流された信号電流が反転入力される。
【０２０２】
このため、本実施形態では、積分器１１は、上述の実施形態における信号電流の１／２の大きさの信号電流が入力される。また、積分器１２は、上述の実施形態における信号電流の１／２の大きさの信号電流が反転入力される。
【０２０３】
本実施形態によれば、ＡＤ変換器を差動構成とすることにより、信号電流に重畳された同相ノイズが打ち消されるため、信号電流のノイズを低減することができる。したがって、信号電流のＡＤ変換精度を向上させることができる。
【０２０４】
（第６実施形態）
第６実施形態に係る放射線検出装置１００について、図１７を参照して説明する。本実施形態に係る放射線検出装置１００は、上述のいずれかの実施形態に係るＡＤ変換器を備える。図１７は、本実施形態に係る放射線検出装置１００を示す図である。図１７に示すように、この放射線検出装置１００は、放射線検出器１１０と、放射線検出回路１２０と、を備える。
【０２０５】
放射線検出器１１０は、入射した放射線に応じた信号を出力する。一般に、放射線検出器１１０が出力する信号は、パルスとなる。放射線検出器１１０は、例えば、シンチレータ及び光電子増倍管を備えるシンチレーション検出器であるが、これに限られない。放射線検出器１１０は、例えば、半導体検出器やガイガー＝ミュラー管（ＧＭ管）であってもよい。放射線検出器１１０の出力信号は、放射線検出回路１２０に入力される。
【０２０６】
放射線検出回路１２０は、放射線検出器１１０の出力信号を信号処理する信号処理回路である。放射線検出回路１２０は、放射線検出器１１０の出力信号に基づいて、放射線の検出や弁別を行う。放射線検出回路１２０は、放射線検出器１１０と一体に形成されてもよいし、放射線検出器１１０と接続可能なＩＣ（集積回路）として形成されてもよい。図１７に示すように、放射線検出回路１２０は、パルス検出回路１２１と、ＡＤ変換器１２２と、カウンタ回路１２３と、を備える。
【０２０７】
パルス検出回路１２１は、放射線検出器１１０の出力信号を入力され、パルスやパイルアップを検出する。パイルアップとは、パルスの重畳のことである。パルス検出回路１２１がパルスを検出することにより、放射線検出器１１０に入射した放射線を検出することができる。パルス検出回路１２１が出力したパルス検出信号及びパイルアップ検出信号は、ＡＤ変換器１２２に入力される。
【０２０８】
ＡＤ変換器１２２は、上述のいずれかの実施形態に係るＡＤ変換器である。放射線検出器１１０の出力信号を入力され、その積分値をＡＤ変換する。ＡＤ変換器１２２によるＡＤ変換は、パルス検出信号及びパイルアップ検出信号により制御される。
【０２０９】
本実施形態において、放射線検出器１１０が出力したパルスは、信号電流に相当する。また、パルス検出回路１２１が出力したパルス検出信号は、検知信号に相当する。パルス検出信号及びパイルアップ検出信号は、いずれも制御回路３に入力される。
【０２１０】
ＡＤ変換器１２２は、パルス検出信号を入力されると、ＡＤ変換を開始する。パルス検出信号は、上述の検知信号に相当する。例えば、ＡＤ変換器１２２は、放射線検出器１１０の出力信号（すなわち、パルス検出回路が検出したパルス）を積分し、積分値をＡＤ変換し、ＡＤ変換値を出力する。これにより、放射線検出器１１０に入射した放射線のエネルギーを示すデジタル信号が出力される。
【０２１１】
ＡＤ変換器１２２による積分は、積分の開始から所定時間後に終了してもよいし、放射線検出器１１０の出力信号のレベルが所定値以下になった時点で終了してもよいし、パルス検出回路１２１などから終了信号を入力された時点で終了してもよい。
【０２１２】
ＡＤ変換器１２２は、パイルアップ検出信号を入力されると、実行中のＡＤ変換をリセットする。このため、パルス検出回路１２１によってパルスが検出された場合であっても、パイルアップが検出された場合には、ＡＤ変換は実行されない。
【０２１３】
カウンタ回路１２３は、ＡＤ変換器１２２が出力したＡＤ変換値をそれぞれカウントする。カウンタ回路１２３がカウントしたＡＤ変換値毎のカウント値により、放射線のエネルギースペクトルなどが得られるため、放射線を弁別することができる。
【０２１４】
以上説明した通り、本実施形態に係る放射線検出回路１２０は、第１実施形態に係るＡＤ変換器１２２を備える。したがって、放射線検出回路１２０は、高精度に放射線を弁別することができる。また、放射線検出回路１２０は、低消費電力に構成することができる。さらに、放射線検出回路１２０は、高速に動作が可能となる。
【０２１５】
なお、本発明は上記各実施形態そのままに限定されるものではなく、実施段階ではその要旨を逸脱しない範囲で構成要素を変形して具体化できる。また、上記各実施形態に開示されている複数の構成要素を適宜組み合わせることによって種々の発明を形成できる。また例えば、各実施形態に示される全構成要素からいくつかの構成要素を削除した構成も考えられる。さらに、異なる実施形態に記載した構成要素を適宜組み合わせてもよい。
【符号の説明】
【０２１６】
１：積分器、２：残差生成回路、３：制御回路、Ｃｏｍ：比較器、ＴＩＮ：入力端子、ＴＯＵＴ１，ＴＯＵＴ２：出力端子、ＳＷ：スイッチ、ＳＷＲ：リセットスイッチ、Ｃ：容量、Ｎ：ノード、ＯＰ：オペアンプ、１００：放射線検出装置、１１０：放射線検出器、１２０：放射線検出回路、１２１：パルス検出回路、１２２：ＡＤ変換器、１２３：カウンタ回路
【図１】
2017017467.tif 000003
【図２】
2017017467.tif 000004
【図３】
2017017467.tif 000005
【図４】
2017017467.tif 000006
【図５】
2017017467.tif 000007
【図６】
2017017467.tif 000008
【図７】
2017017467.tif 000009
【図８】
2017017467.tif 000010
【図９】
2017017467.tif 000011
【図１０】
2017017467.tif 000012
【図１１】
2017017467.tif 000013
【図１２】
2017017467.tif 000014
【図１３】
2017017467.tif 000015
【図１４】
2017017467.tif 000016
【図１５】
2017017467.tif 000017
【図１６】
2017017467.tif 000018
【図１７】
2017017467.tif 000019